(57)【特許請求の範囲】
【請求項１】
電線Ｗを巻回して形成されたコイルＣの上方に、コイルＣからの電線Ｗの上方への引き出しに伴うもつれを検出する検出器２を設けた電線供給装置において、
前記コイルＣと検出器２の間に長さ方向に電線Ｗを沿わせてガイドする上下方向のガイド棒１３を設け、このガイド棒１３をブラケットＦに接続具Ｊを介して接続し、ガイド棒１３の下端部をコイルＣの周方向に回転可能としたことを特徴とする電線供給装置。
【請求項２】
前記接続具Ｊとして、ボールジョイント１２を使用したことを特徴とする請求項１に記載の電線供給装置。
【請求項３】
前記接続具Ｊとして、自在継手１７を使用したことを特徴とする請求項１に記載の電線供給装置。
【請求項４】
前記接続具Ｊとして、弾性部材２０を使用したことを特徴とする請求項１に記載の電線供給装置。
【発明の詳細な説明】
【０００１】
【発明の属する技術分野】
この発明は、電線をコイルから引き出し、切断・端末加工工程へ供給する電線供給装置、特に、電線のもつれ防止を図った電線供給装置に関する。
【０００２】
【従来の技術】
従来より、図５に示すように、段ボール製の箱Ｂに収納されたコイルＣから引き出された電線Ｗを、それぞれブラケットＦに設けられたラッパ状の収集器１、検出器２、一対のガイドリング３及びガイドローラ４を介して処理部（図示省略）へ供給する電線供給装置が知られている。処理部では、電線Ｗを所定の長さに切断し、その端末に端子やコネクタを取り付ける加工が行われる。電線Ｗは、処理部の測長ローラによりコイルＣから引き出される。
【０００３】
前記検出器２は、電線Ｗが挿通されるスリット５を有する起伏自在の検出板６と、この検出板６の起伏に伴い作動するリミットスイッチ７とから成り、図６に示すように電線Ｗが螺旋状に持ち上げられると、その螺旋部により図７に示すように検出板６が押し上げられてリミットスイッチ７が作動し、処理部の工程を停止させる。
【０００４】
【発明が解決しようとする課題】
ところで、電線Ｗは高速で送られるため、螺旋状に持ち上げられた電線Ｗは収集器１内で直線状に収束することなく、螺旋部が検出器２により検出され、処理部の工程が停止することがある。
【０００５】
また、螺旋部がスリット５を通過して測長ローラに至った場合、測長ローラに負荷が作用して電線Ｗとの間に滑りが生じ、加工後の電線長が所定の長さよりも短くなることもある。
【０００６】
さらに、測長ローラは間欠的に回転するため、電線Ｗの送りは周期的に停止するが、測長ローラが停止しても電線Ｗは惰性のため直ちには止まらず、図８に示すようにコイルＣと収集器１との間で弛んだ状態となり、箱Ｂの蓋片に引っ掛かることがある。弛んだままの電線Ｗを測長ローラが引き込むと、電線Ｗは図９に示すようにループ部Ｒが生じた状態で持ち上げられ、このループ部Ｒが検出器２により検出されて処理部の工程が停止することもある。
【０００７】
そこで、この発明は、電線のもつれを防止することを課題とする。
【０００８】
【課題を解決するための手段】
上記の課題を解決するため、この発明は、電線を巻回して形成されたコイルの上方に、コイルからの電線の上方への引き出しに伴うもつれを検出する検出器を設けた電線供給装置において、コイルと検出器の間に長さ方向に電線を沿わせてガイドする上下方向のガイド棒を設け、このガイド棒をブラケットに接続具を介して接続し、ガイド棒の下端部をコイルの周方向に回転可能としたのである。
【０００９】
電線はガイド棒に沿って上方へ送られるので、螺旋状に持ち上げられることがなく、また、コイルから引き出される電線に追従してガイド棒の下端部がコイルの周方向に回転するので、電線の弛みが抑制される。
【００１０】
【発明の実施の形態】
以下、この発明の実施の形態を図１及び図２に基づいて説明する。なお、図５に示す従来例と同一の部材については同一の符合を付して説明を省略する。
【００１１】
図示のように、検出板６には連結軸１０が挿通され、連結軸１０は、その上端部にねじ込まれた一対のナット１１で検出板６を挟持することにより検出板６に固定されている。
【００１２】
連結軸１０の下端には接続具Ｊを介してガイド棒１３が接続されている。接続具Ｊとしてはボールジョイント１２が使用されており、ガイド棒１３は、その軸線が連結軸１０の軸線と任意の角度をなした状態で連結軸１０に対して自由に回転可能となっている。ガイド棒１３の一側には複数の舌片１４が設けられ、各舌片１４にはガイド孔１５が形成されている。舌片１４の個数は任意である。
【００１３】
上記のように構成された電線供給装置では、コイルＣから引き出した電線Ｗをガイド棒１３の下方から上方へかけて順次ガイド孔１５に挿通し、検出器２、一対のガイドリング３及びガイドローラ４を介して処理部へ供給する。
【００１４】
電線Ｗはガイド棒１３に沿って上方へ送られるので、螺旋状に持ち上げられることはない。
【００１５】
また、コイルＣから引き出される電線Ｗに追従してガイド棒１３の下端部がコイルＣの周方向に回転するので、電線Ｗの弛みが抑制され、もつれが発生する危険性が減少する。
【００１６】
さらに、もつれが発生した場合、もつれ部が最下位のガイド孔１５に引っ掛かり、ガイド棒１３が押し上げられ、それに伴って検出板６が起き上がり、リミットスイッチ７が作動するので、もつれ部がコイルＣの近くで露出した状態で検出され、容易にほどくことができる。
【００１７】
なお、ボールジョイント１２に一定の抵抗を与えておくと、ガイド棒１３下端部の回転範囲が制限され、測長ローラの停止に伴う電線Ｗの弛みが少なくなる。
【００１８】
また、接続具Ｊとして、図３に示すように、直交する２軸１８、１９を有する自在継手１７を使用し、前記各軸１８、１９をそれぞれ検出板６及びガイド棒１３に回動自在に連結してもよく、図４に示すように、ばね等の弾性部材２０を使用して検出板６とガイド棒１３とを接続してもよい。弾性部材２０を使用すると、もつれ部がガイド孔１５に引っ掛かった際、ガイド棒１３に作用する衝撃が吸収される。
【００１９】
そのほか、図１に示すように、箱Ｂの蓋片のうち、隣接するもの同士をＬ字形の挟持片を有するクリップ１６で固定しておくと、弛んだ電線Ｗが蓋片に引っ掛かることがない。
【００２０】
さらに、図２に示すように、検出板６に、スリット５に代えて電線Ｗの挿通孔２１を形成してもよい。
【００２１】
また、ガイド棒１３をブラケットＦのアームで支持してもよい。
【００２２】
【発明の効果】
この発明によると、以上のように、コイルから引き出された電線はガイド棒に沿って送られ、また、ガイド棒の下端部が電線に追従してコイルの周方向に回転するので、電線の弛みが抑制され、もつれが発生する危険性が減少する。
【００２３】
さらに、もつれが発生してもコイルの近くで検出されるので、容易にほどくことができる。
【図面の簡単な説明】
【図１】この発明の一実施形態を示す斜視図
【図２】同上のボールジョイント周辺を示す拡大斜視図
【図３】同上の自在継手周辺を示す拡大斜視図
【図４】同上の弾性部材周辺を示す拡大斜視図
【図５】従来の電線供給装置を示す斜視図
【図６】同上の螺旋状の電線持ち上げ状態を示す図
【図７】同上の螺旋部検出状態を示す図
【図８】同上の送り停止時における弛み発生状態を示す図
【図９】同上の送り再開時におけるループ発生状態を示す図
【符号の説明】
Ｃ  コイル
Ｗ  電線
Ｆ  ブラケット
Ｊ  接続具
２  検出器
１２  ボールジョイント
１３  ガイド棒
１７  自在継手
２０  弾性部材
【図１】
0003541528.tif 000002
【図２】
0003541528.tif 000003
【図３】
0003541528.tif 000004
【図４】
0003541528.tif 000005
【図５】
0003541528.tif 000006
【図６】
0003541528.tif 000007
【図７】
0003541528.tif 000008
【図８】
0003541528.tif 000009
【図９】
0003541528.tif 000010